(57)【要約】      （修正有）【課題】障害者や足腰の弱くなった高齢者が、車椅子を使って自由に移動でき、さらに車椅子に座ったままで容易に用便ができるようにして、車椅子利用する人や介護する人の負担を軽減するための洗浄機能付きポータブルトイレ一体型車椅子を提供する。【解決手段】金属製にて構成された車椅子の座面に穴を開け、それを支持する部分を金属の枠で構成、その内部に局部及び便流部をスイングするノズルによる洗浄と温風による殺菌及び消臭ができる蓄電池駆動のポータブルトイレと洗浄用、汚物用、消臭用の各タンクが備えられている。【選択図】図１
0003181671.tif 000002
【実用新案登録請求の範囲】
【請求項１】
クッション部下部にポータブルトイレを装着した車椅子において、前記便座下部に温度設定可能な温風用のファンと、交換容易な洗浄水タンク及び汚物タンク、消臭液入りタンクと水洗部可動用の制御器、蓄電池を備えたことを特徴とする洗浄機能付きポータブルトイレ一体型車椅子。
【請求項２】
上記ポータブルトイレの便座排便口下部配管に上記汚物タンクを装着し、前記汚物タンクをカートリッジ式にしたことを特徴とする請求項１記載の洗浄機能付きポータブルトイレ一体型車椅子。
【請求項３】
便流部側面に、リモコン、若しくは、操作パネルにより切り替えができる可動式水洗洗浄管を設けたことを特徴とする請求項１及至請求項２記載の洗浄機能付きポータブルトイレ一体型車椅子。
【請求項４】
上記車椅子本体に充電器を介して充電できる蓄電池を備えたことを特徴とする請求項１及至請求項３記載の洗浄機能付きポータブルトイレ一体型車椅子。
【考案の詳細な説明】
【技術分野】
【０００１】  本考案は、ベッドからトイレ等に移動することが困難な障害者や病人が利用する洗浄機能付きポータブルトイレ一体型車椅子に関するものである。
【背景技術】
【０００２】  ポータブルトイレは、室内において寝たり起きたりしてトイレに行くことが困難な障害者や病人が、介助者の手を借りてベッドや車椅子からポータブルトイレに乗り移り、その場で用を足すために利用されている。【０００３】  屋内でも介助者の介助は必要だが、屋外でのポータブルトイレは利用がさらに困難であり、車椅子専用の公衆便所の設置場所までの移動時間や、車椅子から専用トイレの移動の手間もかかることから介助者の負担はさらに大きくなることになる。【０００４】  近年整備されている車椅子で利用できるトイレも、必要十分な機能が備わっているものもあるがその取り扱いも容易ではない。その使用に於いても未だに人の手による介助を必要とするものが多い。【０００５】  車椅子専用の公衆トイレに移動する手間と、ポータブルトイレの使用時と使用後の介助者の汚物処理など、一日に何回も行われるこの作業は、長い年月家族にとって難儀なものである。【０００６】  用便後の局部の洗浄は、介助を受ける側の障害者や病人や介助者にとっても精神的な負担が大きく、時には精神的な苦痛を覚えることも多い。【０００７】  用便後の汚物の処理は、障害者や病人がポータブルトイレから移動しなければ座下の汚物タンクを取り出すことが出来ず、その間は臭気が室内に流れ込むことになる。【０００８】  便座口からタンク底までの形態は、ほとんどが通常直下型であるため、用便の際排泄物が落下、飛散して尻部を汚すことが多く、便器内に排泄物が付着して清掃に時間を要するなどの難点がある。【０００９】  本考案は上述したように、外出を希望する障害者や高齢者の人たちにとり、一番の懸念材料である外出時の排泄に掛かる不安や不便さを解消する、洗浄機能と消臭機能のついたトイレを装着した車椅子を提供することを目的とする。
【考案の概要】
【考案が解決しようとする課題】
【００１０】  一般に、ポータブルトイレは、部屋の中で利用するようにできており、移動してトイレ等に行けない不自由さがある。従って、自由にポータブルトイレが移動出来るようした簡易型の便器を取り付けた車椅子やトイレ機能を付加した車椅子は、様々な物が開発され、また使用されているが、そのほとんどがクッション部にあらかじめ通常の便器様のものを用いているため座り心地が悪く、また臭気対策や衛生対策に欠ける物が多い。また実用一点張りプライバシーを重要視していないものもあって、決して障害者や高齢者さらに介護者を考慮したものに仕上がっていないという現状がある。【００１１】  ところで、車椅子を使用する方の着衣においては特許３７５７２４４号や登録実用新案３１０４７３３号をはじめとして、用便の度に脱ぎ着をせずとも用が足せるものが発明され実用に供されており、使用者のプライバシーや体裁を守れるようになってきている。【００１２】  本考案は、上述のような衣服を着用する事を前提として、衛生的で清潔性にも優れる上に臭気対策等、使用者の周辺にも配慮した移動式洗浄機能付きポータブルトイレを提供することを目的とする。
【課題を解決するための手段】
【００１３】  本考案は、上述した従来品の問題を解決するため、以下のような手段を用いている。
クッション部下部にポータブルトイレを装着した車椅子において、便座下部に温度設定可能な温風用のファンと、交換容易な洗浄水タンク及び汚物タンク、消臭液入りタンクと水洗部可動用の制御器、蓄電池を備えたことを特徴とする洗浄機能付きポータブルトイレ一体型車椅子で、ポータブルトイレの便座排便口下部配管に上記汚物タンクを装着し、前記汚物タンクをカートリッジ式にした。更に、排便の前に便器内に水を３秒流し汚物の付着を防ぎ、排便後に消臭液入り水を便器内に流す上記消臭液入りタンクと、便流部の清掃と消臭を行う上記洗浄水タンクを装着した。また、便流部側面に、リモコン、若しくは、操作パネルにより切り替えができる可動式水洗洗浄管を設けた。
加えて、車椅子本体に充電器を介して充電できる蓄電池を備えたことを特徴とする洗浄機能付きポータブルトイレ一体型車椅子とした。【００１４】  車椅子のクッション部に便座を設け、当該便座中央部に便流部を取り付けて水流により排便後の汚物を洗浄する。便座上のクッション材には、従来よりも体圧分散性の優れたものを使用する。【００１５】  便流部側面に設けた洗浄管より適宜洗浄水を流し、温風ファンより乾燥風を吹き出し排便後の局部の洗浄と乾燥を行う。【００１６】  消臭液入り水を便流部に流し便座及び便流部の消臭と殺菌を行う。
【考案の効果】
【００１７】  車椅子（電動の車椅子を含む）を通常生活の必需品として利用する障害者、あるいは高齢者が本発明に掛かる洗浄機能付きポータブルトイレ一体型車椅子を使用すると、以下に述べるごとくの恩恵を得ることができる。【００１８】  まず、本洗浄機能付きポータブルトイレ一体型車椅子では介助者に頼らずに用を足すことができる。【００１９】  汚物タンクにはカートリッジ式にして蓋が付くので、取り外した際の臭いは最低限に減り、処理と交換も容易になる。給水タンクと同様に消臭液入りタンクも簡単に交換が可能である。【００２０】  便器内に排泄物が付着しないように事前に水を流し、排泄物が汚物タンク内に入った後、便器内部を消臭液入り水で洗浄、温風ファンからの温風で局部の乾燥を行うことで臭いや雑菌の発生の心配がない。【００２１】  続いて用便後の拭き取りや清掃等、これまで介助者の介助に頼っていた時と同様な後始末を自力で行うことができる。また局部の洗浄はリモコンの操作で男性使用と女性使用で洗浄箇所を変更できる。【００２２】  上述により用便を自力で完了でき、汚物や局部を他人の目に晒す事なく用が足せるので、個人としての尊厳を保つことができる。
【図面の簡単な説明】
【００２３】
【図１】  本考案に係る一実施例を示す分解説明図
【図２】  本考案に係る洗浄機能付きポータブルトイレ一体型車椅子の斜視図
【図３】  洗浄ノズルの動作説明図
【考案を実施するための最良の形態】
【００２４】  本考案は、上述した従来品に於ける諸問題を解決するために、下記のごとくに構成したものである。【００２５】  車椅子のクッション部に便座を設け、当該便座中央部に繭を縦割りにした様の便流部を取り付ける。【００２６】  上記便座上面には、便流部の形状に切り抜いた空隙を有する体圧分散性に優れたクッション材を装着する。【００２７】  当該便流部の後部に出水口と側部には温風用のファン、後部底には排便口を取り付ける。【００２８】  便流部側面には側面から中央部に回動し、先端部から出水する洗浄ノズルを取り付ける。【００２９】  便座下部に設けた金属枠上には、カートリッジ式の汚物タンクと洗浄水タンク及び消臭液入りタンクを設け、着脱自在にする。【００３０】  金属枠上には、さらに洗浄ノズルの制御器と駆動用の蓄電池とその充電部を装着してある。
【実施例】
【００３１】  本考案の実施例の一例を、図面を参照して説明すると、図１は本考案の分解説明図、図２は斜視図、図３は洗浄ノズルの動作説明図である。【００３２】  車椅子本体１のクッション部１０の下に、平板状の便座２を設け、便座２の中央部には繭を切り取った形状で、縦長で後方に向かって傾斜を設けた便流部３を取り付けた。【００３３】  当該便流部の後側には、図３に図示する出水口４を設けた。【００３４】  便流部３側面には、図３に図示する電動モーター８により矢印ａ−ｂ−ｃ−ｄに回動可能で、且つ先端部から出水を自在に設けた洗浄ノズル９を取り付けて、使用時には、便流部３内中央に洗浄ノズル９を回動させ、また未使用時には便座内に格納可能に設けた。【００３５】  上記便座２上面には便流部３の形状に切り欠いた空隙を設け、且つ上述した局部カバー７の回動アーム６の動線部を切り欠いたクッション材を装着してクッション部１０を形成し、使用時には局部カバー７が自動で起き上がるようにした。【００３６】  クッション部下部に設けた金属枠１１上には、最後面には給水口を設けた洗浄タンク１４を固着した。【００３７】  当該洗浄タンク１４には、図示省略の電動ポンプを有する洗浄水ノズル９及び同様に電動ポンプを有するホースを設けた。【００３８】  クッション部１０の下部には電源用の蓄電器１８を２個と、充電部１７を設置し、車椅子を利用しない時間に、充電できるようにした。【００３９】  金属枠１１最後部には、汚物の取り出しを容易にした汚物タンク１３を設けた。【００４０】  汚物タンク１３横に、洗浄タンク１４を洗浄水ノズル９と出水口４とを接続し、便流部３内に洗浄水を流せるように設け、また当該タンクのホース先端と洗浄ノズル９の基部とを接続し、洗浄ノズル９の放水口より噴水可能に設けた。洗浄タンク１４は市販品を使用し容易に取り外しができるようにした。【００４１】  汚物タンク１３横に、用便後の洗浄と消臭を兼ねた消臭液入り水を便流部に流す消臭液入りタンク１５を設けた。消臭液入りタンク１５は、市販品を使用し容易に取り外しができる。【００４２】  便流部３側面に、便流部に温度設定可能にした温風を送風できるように、温風ファン１６を設け温風を吹き出し、洗浄後の乾燥を可能としている。【００４３】  金属枠前面に設けた制御器１２には、充電部１７や蓄電器１８などを装着してあり、制御器１２と各ポンプや電動モーター８及び温風ファン１６を配線で繋いで、取り外し可能な操作パネル２０を操作することで各機器を操作可能に設けたものである。【００４４】  操作パネル２０は男性用と女性用に操作が分かれ、「使用前洗浄」ボタン、「使用後洗浄」ボタン、「女性」ランプ、「女性専用」ボタン、「停止」ボタンの各ボタンの組み合わせにより洗浄ノズルをスイングし出水させて、洗浄可能としている。【００４５】  操作パネル２０による局部洗浄方法の男性使用時は、「使用前洗浄」ボタンを押し、便流部に水を流し、「停止」ボタンで水を停止させて、用便後に「使用後洗浄」ボタンを押すと局部に洗浄ノズルがスイングし出水、「停止」ボタンを押すと出水の停止と洗浄ノズルの収納動作を行う。女性使用時は、「使用前洗浄」ボタンを押し便流部に水を流し、用便後に「女性専用ボタン」を押し「女性」ランプが点灯したのち、「使用後洗浄」ボタンを押すと局部２箇所に洗浄ノズルがスイングし出水、「停止」ボタンを押すと出水の停止と洗浄ノズルの収納動作を行う。
【産業上の利用可能性】
【００４６】本考案は、上述したごとくこれまで介助者の不足などの問題で中々単独で外出できなかった車椅子を、通常生活の必需品として利用する障害者や高齢者の排泄時の問題を解決し、単独での用便を可能にしたものである。【００４７】  従って、障害を持つ人々の社会参加を推し進める上で非常に有意義な機器を提供可能である。【００４８】  なお、考案に於ける電気の回路については図示省略した。
【符号の説明】
【００４９】１      車椅子本体
２      便座
３      便流部
４      出水口
５      排便口
６      回動アーム
７      局部カバー
８      電動モーター
９      洗浄ノズル
１０    クッション部
１１    金属枠
１２    制御器
１３    汚物タンク
１４    洗浄タンク
１５    消臭液入りタンク
１６    温風ファン出口
１７    充電部
１８    蓄電器
１９    肘掛け
２０    操作パネル
【図１】
0003181671.tif 000003
【図２】
0003181671.tif 000004
【図３】
0003181671.tif 000005